(57)【要約】      （修正有）【課題】圧縮機の上方に冷媒容器を配置させた場合であっても、圧縮機に結露水が到達することによる不具合を抑制させることが可能な冷凍装置の室外ユニットを提供する。【解決手段】圧縮機と、主アキュームレータ１６と、導水ガイド７０と、を備えた空気調和装置の室外ユニット２において、冷媒回路を流れる冷媒を貯留することが可能な主アキュームレータ１６は、圧縮機の上方に配置されており、導水ガイド７０は、主アキュームレータ１６と圧縮機との間に配置されており、主アキュームレータ１６から落ちてくる水を圧縮機以外の箇所に導く。【選択図】図４
2017190917.tif 000002
【特許請求の範囲】
【請求項１】
圧縮機（８）と、
前記圧縮機の上方に配置されており、冷媒回路を流れる冷媒を貯留することが可能な冷媒容器（１６）と、
前記冷媒容器と前記圧縮機との間に配置されており、前記冷媒容器から落ちてくる水を前記圧縮機以外の箇所に導くガイド部材（７０）と、
を備えた冷凍装置（１）の室外ユニット（２）。
【請求項２】
前記ガイド部材は、前記冷媒容器に取り付けられている、
請求項１に記載の冷凍装置の室外ユニット。
【請求項３】
前記ガイド部材は、水平面に対して傾斜した１つ以上の傾斜部分（７１、７２）を有している、
請求項２に記載の冷凍装置の室外ユニット。
【請求項４】
前記ガイド部材は、前記ガイド部材と前記冷媒容器との一体化物を自立可能とさせる形状を有している、
請求項３に記載の冷凍装置の室外ユニット。
【請求項５】
送風機（１５）と、
前記冷媒容器と、前記送風機と、前記圧縮機と、を内部に収容するケーシング（４０）と、
前記ケーシング内を、前記圧縮機が配置されている機械室（Ｓ２）と、前記送風機が配置されている送風機室（Ｓ１）と、に仕切る仕切板（４８）と、
をさらに備え、
前記ガイド部材は、前記冷媒容器から落ちてくる水を前記仕切板側に導く、
請求項１から４のいずれか１項に記載の冷凍装置の室外ユニット。
【発明の詳細な説明】
【技術分野】
【０００１】
本発明は、冷凍装置の室外ユニットに関する。
【背景技術】
【０００２】
従来より、冷凍装置の室外ユニットの内部には、比較的重量が大きな物である圧縮機やアキュームレータが設けられている。
【０００３】
例えば、特許文献１（特開平１０−３３２１７６号公報）に記載の例では、圧縮機とアキュームレータとは、室外ユニットの底フレーム上に並んで載置されている。
【発明の開示】
【発明が解決しようとする課題】
【０００４】
ところが、例えば、装置の大容量化に伴って圧縮機やアキュームレータが大型化する等により、室外ユニットの機械室内において設置スペースを確保することに関する問題が生じることがある。
【０００５】
このような設置スペースの問題は、例えば、アキュームレータを圧縮機の上方に配置することにより、解消できる場合がある。
【０００６】
しかし、圧縮機の上方にアキュームレータを配置した場合には、アキュームレータの外表面に生じた結露水が、下方に配置されている圧縮機に到達してしまうおそれがある。
【０００７】
このように、アキュームレータからの結露水が圧縮機に到達してしまうと、圧縮機に設けられている金属部材において腐食が生じてしまう問題や、圧縮機の電気的部品をショートさせてしまう問題がある。
【０００８】
本発明は、上述した点に鑑みてなされたものであり、圧縮機の上方に冷媒容器を配置させた場合であっても、圧縮機に結露水が到達することによる不具合を抑制させることが可能な冷凍装置の室外ユニットを提供することにある。
【課題を解決するための手段】
【０００９】
第１の観点に係る冷凍装置の室外ユニットは、圧縮機と、冷媒容器と、ガイド部材と、を備えている。冷媒容器は、圧縮機の上方に配置されており、冷媒回路を流れる冷媒を貯留することが可能である。ガイド部材は、冷媒容器と圧縮機との間に配置されており、冷媒容器から落ちてくる水を圧縮機以外の箇所に導く。
【００１０】
ここで、冷媒容器は、圧縮機の上方に配置されているが、圧縮機の真上の配置に限られない。例えば、平面視において、圧縮機と冷媒容器とが部分的に重なる配置関係であればよい。
【００１１】
冷媒容器としては、冷媒回路において用いられるアキュームレータおよびレシーバ（低圧レシーバに限らず、中圧レシーバであってもよい）が挙げられる。
【００１２】
ガイド部材の素材は、特に限定されず、板金製であっても、ゴム製であっても、樹脂製であってもよい。
【００１３】
この冷凍装置の室外ユニットは、冷媒容器が、圧縮機の上方に配置されているため、室外ユニット内における設置スペースの確保が容易になる。そして、このように冷媒容器が圧縮機の上方に配置されている場合であっても、冷媒容器と圧縮機との間に配置されたガイド部材が冷媒容器から落ちてくる水を圧縮機以外の箇所に導くため、結露水による圧縮機の腐食や電気的ショートを生じにくくさせることが可能になる。以上により、圧縮機の上方に冷媒容器を配置させた場合であっても、圧縮機に結露水が到達することによる不具合を抑制させることが可能になる。
【００１４】
第２観点に係る冷凍装置の室外ユニットは、第１観点に係る冷凍装置の室外ユニットであって、ガイド部材は、冷媒容器に取り付けられている。
【００１５】
この冷凍装置の室外ユニットでは、ガイド部材が冷媒容器に取り付けられているため、ガイド部材は、冷媒容器で生じた結露水をより確実に捕らえることが可能になる。
【００１６】
第３観点に係る冷凍装置の室外ユニットは、第２観点に係る冷凍装置の室外ユニットであって、ガイド部材は、１つ以上の傾斜部分を有している。傾斜部分は、水平面に対して傾斜している。
【００１７】
この冷凍装置の室外ユニットでは、ガイド部材が１つ以上の傾斜部分を有しているため、結露水を自重によって圧縮機以外の箇所に導くことが可能になる。
【００１８】
第４観点に係る冷凍装置の室外ユニットは、第３観点に係る冷凍装置の室外ユニットであって、ガイド部材は、ガイド部材と冷媒容器との一体化物を自立可能とさせる形状を有している。
【００１９】
この冷凍装置の室外ユニットでは、ガイド部材が冷媒容器に取り付けられており、そのガイド部材は、結露水を自重によって圧縮機以外の箇所に導くことができるように、水平面に対して傾斜した傾斜部分を有している。
【００２０】
ここで、このように傾斜部分を有するガイド部材が冷媒容器に取り付けられている場合には、ガイド部材と冷媒容器との一体化物が横たわるように倒れてしまい、自立させることができない場合がある。
【００２１】
これに対して、この冷凍装置の室外ユニットでは、ガイド部材の形状を、ガイド部材と冷媒容器との一体化物を自立可能とさせる形状にしている。このため、傾斜部分を有するガイド部材が冷媒容器に取り付けられている場合であっても、ガイド部材と冷媒容器との一体化物を自立させることが可能になっている。
【００２２】
第５観点に係る冷凍装置の室外ユニットは、第１観点から第４観点のいずれかに係る冷凍装置の室外ユニットであって、送風機と、ケーシングと、仕切板と、をさらに備えている。ケーシングは、冷媒容器と、送風機と、圧縮機と、を内部に収容する。仕切板は、ケーシング内を、圧縮機が配置されている機械室と、送風機が配置されている送風機室と、に仕切る。ガイド部材は、冷媒容器から落ちてくる水を仕切板側に導く。
【００２３】
この冷凍装置の室外ユニットは、ガイド部材は、冷媒容器から落ちてくる水を仕切板側に導くため、冷媒容器から落ちてきた水が飛散することがあったとしても、仕切板に沿わせて下方に流すことが可能になる。このため、圧縮機に結露水が到達することによる不具合をより確実に抑制させることが可能になる。
【発明の効果】
【００２４】
第１観点に係る冷凍装置の室外ユニットによれば、圧縮機の上方に冷媒容器を配置させた場合であっても、圧縮機に結露水が到達することによる不具合を抑制させることが可能になる。
【００２５】
第２観点に係る冷凍装置の室外ユニットによれば、ガイド部材は、冷媒容器で生じた結露水をより確実に捕らえることが可能になる。
【００２６】
第３観点に係る冷凍装置の室外ユニットによれば、結露水を自重によって圧縮機以外の箇所に導くことが可能になる。
【００２７】
第４観点に係る冷凍装置の室外ユニットによれば、傾斜部分を有するガイド部材が冷媒容器に取り付けられている場合であっても、ガイド部材と冷媒容器との一体化物を自立させることが可能になっている。
【００２８】
第５観点に係る冷凍装置の室外ユニットによれば、圧縮機に結露水が到達することによる不具合をより確実に抑制させることが可能になる。
【図面の簡単な説明】
【００２９】
【図１】本発明の一実施形態に係る室外ユニットを有する空気調和装置の概略構成図である。
【図２】室外ユニットの外観斜視図である。
【図３】室外ユニットの平面図（配置構成の説明図）である。
【図４】室外ユニットの前面図（配置構成の説明図）である。
【図５】導水ガイドを除いた室外ユニットの機械室の構造を示す前面図である。
【図６】圧縮機の防音カバーのうちの周囲カバー部と導水ガイドとを除いた室外ユニットの機械室の構造を示す斜視図である。
【図７】主アキュームレータおよび導水ガイドの斜視図である。
【発明を実施するための形態】
【００３０】
以下、本発明に係る冷凍装置の室外ユニットの実施形態およびその変形例について、図面に基づいて説明する。なお、本発明に係る冷凍装置の室外ユニットの具体的な構成は、下記の実施形態およびその変形例に限られるものではなく、発明の要旨を逸脱しない範囲で変更可能である。
【００３１】
（１）空気調和装置の構成
図１は、本発明の一実施形態に係る室外ユニット２を有する空気調和装置１（冷凍装置）の概略構成図である。
【００３２】
空気調和装置１は、蒸気圧縮式の冷凍サイクルを行うことによって、建物等の室内の冷房や暖房を行うことが可能な装置である。空気調和装置１は、主として、室外ユニット２と、室内ユニット３とが接続されることによって構成されている。ここで、室外ユニット２と室内ユニット３とは、液冷媒連絡管４およびガス冷媒連絡管５を介して接続されている。すなわち、空気調和装置１の蒸気圧縮式の冷媒回路６は、室外ユニット２と、室内ユニット３とが冷媒連絡管４、５を介して接続されることによって構成されている。また、この冷媒回路６には、本実施形態においては、Ｒ３２の冷媒が封入されている。なお、冷媒回路６に封入される冷媒は、特に限定されるものではなく、例えば、Ｒ３２を含有する混合冷媒であってもよいし、ＨＦＯその他の単体冷媒または当該単体冷媒を含有する混合冷媒であってもよい。
【００３３】
室外ユニット２は、室外に設置されており、冷媒回路６の一部を構成している。室外ユニット２は、主として、圧縮部７と、四路切換弁１０と、室外熱交換器１１と、膨張弁１２と、液側閉鎖弁１３と、ガス側閉鎖弁１４と、室外ファン１５と、主アキュームレータ１６と、を有している。なお、四路切換弁１０の接続ポートの１つと主アキュームレータ１６の入口側とは第１吸入配管２１によって接続されている。主アキュームレータ１６の出口側と圧縮部７の吸入側（付属アキュームレータ９の入口側）とは、第２吸入配管２２によって接続されている。圧縮部７の吐出側と四路切換弁１０の接続ポートの他の１つとは吐出配管２３によって接続されている。
【００３４】
室内ユニット３は、室内に設置されており、冷媒回路６の一部を構成している。室内ユニット３は、主として、室内熱交換器１９を有している。
【００３５】
冷媒連絡管４、５は、空気調和装置１を建物等の設置場所に設置する際に、現地にて施工される冷媒管である。液冷媒連絡管４の一端は、室外ユニット２の液側閉鎖弁１３に接続され、液冷媒連絡管４の他端は、室内ユニット３の室内熱交換器１９の液側端に接続されている。ガス冷媒連絡管５の一端は、室外ユニット２のガス側閉鎖弁１４に接続され、ガス冷媒連絡管５の他端は、室内ユニット３の室内熱交換器１９のガス側端に接続されている。
【００３６】
（２）室外ユニットの構成
（２−１）全体
図２は、室外ユニット２の外観斜視図である。図３は、室外ユニット２の平面図（配置構成の説明図）である。図４は、室外ユニット２の前面図（配置構成の説明図）である。図５は、導水ガイド７０を除いた室外ユニット２の機械室Ｓ２の構造を示す前面図である。図６は、圧縮機８の防音カバー５０のうちの周囲カバー部５０ａと導水ガイド７０とを除いた室外ユニット２の機械室Ｓ２の構造を示す斜視図である。図７は、主アキュームレータ１６および導水ガイド７０の斜視図である。
【００３７】
室外ユニット２は、略直方体箱状のケーシング４０の内部が鉛直に延びる仕切板４８により送風機室Ｓ１と機械室Ｓ２とに分割されたトランク型の構造と呼ばれるものである。室外ユニット２は、主として、略直方体箱状のケーシング４０と、室外ファン１５と、圧縮部７や室外熱交換器１１等の機器、液側閉鎖弁１３やガス側閉鎖弁１４等の弁および冷媒管等を含み冷媒回路６の一部を構成する冷媒回路構成部品と、を有している。なお、以下の説明において、「上」、「下」、「左」、「右」、「前」、「後」、「前面」、「背面」は、特にことわりのない限り、図２に示される室外ユニット２を前方から見た場合の方向を意味している。
【００３８】
（２−２）ケーシング
ケーシング４０は、主として、底フレーム４１と、天板４２と、左前板４３と、右前板４４と、右側板４５と、を有している。
【００３９】
底フレーム４１は、ケーシング４０の底面部分を構成する横長の略長方形状の板状部材である。底フレーム４１の下面には、現地設置面に固定される２つの固定脚４６が設けられている。
【００４０】
天板４２は、ケーシング４０の天面部分を構成する横長の略長方形状の板状部材である。
【００４１】
左前板４３は、主として、ケーシング４０の左前面部分および左側面部分を構成する板状部材であり、その下部が底フレーム４１にネジ等により固定されている。左前板４３には、室外ファン１５によってケーシング４０内に吸入される空気の吸入口４３ａが形成されている。また、左前板４３には、室外ファン１５によってケーシング４０の背面側および左側面側から内部に取り込まれた空気を外部に吹き出すための吹出口４３ｂが設けられている。吹出口４３ｂは、ここでは、上下２つ形成されており、それぞれにファングリル４７が設けられている。
【００４２】
右前板４４は、主として、ケーシング４０の右前面部分および右側面の前部を構成する板状部材であり、その下部が底フレーム４１にネジ等により固定されている。また、右前板４４は、その左端部が左前板４３の右端部にネジ等により固定されている。
【００４３】
右側板４５は、主として、ケーシング４０の右側面の後部および右背面部分を構成する板状部材であり、その下部が底フレーム４１にネジ等により固定されている。そして、左前板４３の後端部と右側板４５の背面側端部との左右方向間には、室外ファン１５によってケーシング４０内に吸入される空気の吸入口４３ｃが形成されている。
【００４４】
また、ケーシング４０内には、仕切板４８が設けられている。仕切板４８は、底フレーム４１上に配置される鉛直に延びる板状部材であり、ケーシング４０の内部を左右２つの空間に仕切るように配置されている。仕切板４８は、ケーシング４０を上方から見た際に、左前板４３の右端部から背面側に向かって延びており、ケーシング４０の左側面から背面に沿うように配置された略Ｌ字形状の室外熱交換器１１の右端面まで達している。左前板４３の右端部は、仕切板４８の前端部にネジ等により固定されている。
【００４５】
このように、ケーシング４０は、その内部が仕切板４８により送風機室Ｓ１と機械室Ｓ２とに分割されている。より具体的には、送風機室Ｓ１は、底フレーム４１と、天板４２と、左前板４３と、仕切板４８とによって囲まれた空間であり、主として、室外ファン１５や室外熱交換器１１が配置されている。機械室Ｓ２は、底フレーム４１と、天板４２と、右前板４４と、右側板４５と、仕切板４８とによって囲まれた空間であり、主として、室外熱交換器１１以外の冷媒回路構成部品が配置されている。
【００４６】
（２−３）室外ファン
室外ファン１５は、プロペラファンであり、送風機室Ｓ１内の室外熱交換器１１の前側に配置されている。ここでは、室外ファン１５は、吹出口４３ｂに対向するように、送風機室Ｓ１内に上下２つ配置されている。
【００４７】
（２−４）冷媒回路構成部品
圧縮部７は、機械室Ｓ２内において、底フレーム４１上に設けられている。ここでは、圧縮部７は、圧縮機８および圧縮機８の横に並んで配置される付属アキュームレータ９によって構成されるアキュームレータ付きの圧縮機である。
【００４８】
圧縮機８は、略円筒形状のハウジング内に冷媒を圧縮するための圧縮機構および圧縮機構を回転駆動するためのモータが収容された密閉式圧縮機である。圧縮機８は、機械室Ｓ２内において仕切板４８寄りに配置されている。圧縮機８の上端部には、電気接続用のターミナル８１および配管接続用の吐出ノズル８２（吐出配管２３の一部を構成）が設けられている。具体的には、吐出ノズル８２は、圧縮機８の上端近傍の中心付近から上方の延び出すように設けられている。また、ターミナル８１は、圧縮機８の上端部の右前側寄りの部分（吐出ノズル８２よりも右前側の部分）に設けられている。圧縮機８は、ケーシング４０を上方から見た際に、機械室Ｓ２の仕切板４８寄りに配置されており、その底部が複数（ここでは、３つ）の支持部材８３を介して底フレーム４１上に設けられている。
【００４９】
付属アキュームレータ９は、圧縮機８に吸入される冷媒を一時的に溜めるために圧縮機８の吸入側に接続された略円筒形状の容器であり、主アキュームレータ１６の下流側に接続されている。ここでいう「付属アキュームレータ」は、いわゆる、「低圧レシーバ」とも呼ばれる機器である。付属アキュームレータ９の頂部には、配管接続用の吸入ノズル９１（第２吸入配管２２の一部を構成）が設けられており、付属アキュームレータ９の底部には、圧縮機８の側部に接続される本体連結管９２が設けられている。付属アキュームレータ９は、機械室Ｓ２の右側面寄りに配置されており、図３に示すように、取付部材８９を介して圧縮機８に支持されている。ここで、付属アキュームレータ９の上下方向サイズは圧縮機８よりも小さく、そして、圧縮機８が底フレーム４１上に設けられているのに対して、付属アキュームレータ９の底面は底フレーム４１から上方に離れた位置に設けられている。このため、付属アキュームレータ９と底フレーム４１との上下方向間、すなわち、付属アキュームレータ９の下方には空間が形成されている。また、圧縮部７は、圧縮部７の運転音が外部に漏れることを防止するための防音カバー５０によって覆われている。ここで、防音カバー５０は、圧縮機８および付属アキュームレータ９の両方をまとめて覆っている。なお、防音カバー５０は、圧縮機８および付属アキュームレータ９の周囲を覆う周囲カバー部５０ａと、圧縮機８および付属アキュームレータ９の上側を覆う上方カバー部５０ｂと、を有している。このうち、上方カバー部５０ｂは、図６に示すように、圧縮部７の圧縮機８のターミナル８１以外の部分の上方および付属アキュームレータ９の上方部分を覆っている。
【００５０】
室外熱交換器１１は、送風機室Ｓ１内に配置されており、室外ファン１５によってケーシング４０内に取り込まれた空気との間で熱交換を行う。室外熱交換器１１は、ケーシング４０を上方から見た際に、略Ｌ字形状を有し、ケーシング４０の左側面から背面に沿うように配置されている。
【００５１】
主アキュームレータ１６は、冷媒回路６において、圧縮部７の下流側（具体的には付属アキュームレータ９の下流側）と四路切換弁１０との間に設けられたアキュームレータである。この主アキュームレータ１６は、図３に示すように、室外ユニット２の機械室Ｓ２内において、圧縮部７の圧縮機８の上方であって、機械室Ｓ２内における仕切板４８寄りに配置されている。特に限定されないが、本実施形態では、平面視における主アキュームレータ１６の中心が圧縮機８の鉛直方向上方に位置しており、かつ、平面視における圧縮機８の中心が主アキュームレータ１６の鉛直方向下方に位置している。主アキュームレータ１６の容積は、特に限定されないが、本実施形態では圧縮部７の付属アキュームレータ９より大きく、５倍以上の容積を有している。当該主アキュームレータ１６についても、付属アキュームレータ９と同様に、いわゆる「低圧レシーバ」とも呼ばれる機器であり、圧縮部７に送られる冷媒を一時的に溜める略円筒形状の容器である。
【００５２】
主アキュームレータ１６は、長手方向が鉛直方向となる姿勢で配置されており、図７に示すように、鉛直方向に延びた円筒部分１６ａと、円筒部分の下方を覆う下曲面部１６ｂと、円筒部分の上方を覆う上曲面部１６ｃと、を有している。
【００５３】
主アキュームレータ１６の上曲面部１６ｃからは、配管接続用の上流側ノズル６１と、下流側ノズル６２が延び出している。このうち、上流側ノズル６１は、冷媒流れ方向における主アキュームレータ１６の上流側に接続されており、主アキュームレータ１６と四路切換弁１０とを接続する第１吸入配管２１の一部を構成している。また、下流側ノズル６２は、冷媒流れ方向における主アキュームレータ１６の下流側に接続されており、主アキュームレータ１６と圧縮部７（具体的には付属アキュームレータ９の吸入ノズル９１）とを接続する第２吸入配管２２の一部を構成している。
【００５４】
また、主アキュームレータ１６の上曲面部１６ｃの上端部分には、主アキュームレータ１６を運ぶための吊り金具１６ｄが設けられている。
【００５５】
また、主アキュームレータ１６の円筒部分１６ａには、複数個所（本実施形態では３箇所）に、仕切板４８に主アキュームレータ１６を固定するための固定具１６ｅ、１６ｆ、１６ｇが溶接固定されている。
【００５６】
導水ガイド７０は、主アキュームレータ１６の外表面において生じた結露水を受けて、仕切板４８側に導く部材であり、主アキュームレータ１６と圧縮部７の圧縮機８との間に介在しており、主アキュームレータ１６の下端に固定されている。導水ガイド７０の詳細については、後述する。
【００５７】
また、ケーシング４０内の機械室Ｓ２の前側近傍には、冷媒連絡管４、５が接続される液側閉鎖弁１３およびガス側閉鎖弁１４が配置されている。
【００５８】
（３）導水ガイド７０
導水ガイド７０は、図７に示すように、第１傾斜面７１と、第２傾斜面７２と、前側立設部７３と、後側立設部７４と、前側支持部７５と、後側支持部７６と、を有している。
【００５９】
導水ガイド７０は、特に限定されないが、本実施形態では板金によって構成されている。
【００６０】
導水ガイド７０は、図３に示すように、主アキュームレータ１６の下方全体を覆っている。また、導水ガイド７０は、右側部分と前側部分の一部を除いて、圧縮機８の大部分の上方を覆うように設けられている。
【００６１】
第１傾斜面７１は、図７に示すように、主として主アキュームレータ１６の右側部分の下方を覆っており、右側ほど高くなるように傾斜した面である。
【００６２】
第２傾斜面７２は、主として主アキュームレータ１６の中央および左側部分の下方を覆っており、右側ほど高くなるように傾斜した面であり、仕切板４８の右側手前まで延びている。なお、第２傾斜面７２は、第１傾斜面７１よりも水平面に対する傾斜角度が小さくなっている。これらの第１傾斜面７１と第２傾斜面７２が水平面に対して傾斜していることにより、主アキュームレータ１６の外表面で生じた結露水を左側（仕切板４８側）に送り、仕切板４８との間を介して排水することが可能になっている。
【００６３】
前側立設部７３は、第２傾斜面７２の前側端部が上方に向けて折り曲げられるようにして形成されており、第２傾斜面７２の前側端部の全体に渡って左右に延びている。前側立設部７３の上端近傍には、主アキュームレータ１６の下曲面部１６ｂの周囲に対して溶接固定するための固定片７３ａが設けられている。固定片７３ａと主アキュームレータ１６の下曲面部１６ｂの前側部分とは、前後方向から溶接固定されている。
【００６４】
後側立設部７４は、第２傾斜面７２の後前側端部の右側部分が上方に向けて折り曲げられるようにして形成されている。後側立設部７４の上端近傍には、前側立設部７３の固定片７３ａと同様に、主アキュームレータ１６の下曲面部１６ｂの周囲に対して溶接固定するための固定片７４ａが設けられている。固定片７４ａと主アキュームレータ１６の下曲面部１６ｂの後側部分とは、前後方向から溶接固定されている。
【００６５】
なお、前側立設部７３の固定片７３ａおよび後側立設部７４の固定片７４ａを介して、導水ガイド７０は、主アキュームレータ１６に固定されているが、この固定状態において、主アキュームレータ１６の下曲面部１６ｂの下端は、第１傾斜面７１に接していてもよいし、接していなくてもよい。
【００６６】
前側支持部７５は、第１傾斜面７１の前側端部が下方に向けて切り起こされるようにして形成されている。前側支持部７５の左側端部の鉛直方向の長さは、第２傾斜面７２の左側端部の高さと第２傾斜面７２の右側端部の高さとの差分程度となるように形成されている。前側支持部７５の右側端部の鉛直方向の長さは、第２傾斜面７２の左側端部の高さと第１傾斜面７１の右側端部の高さとの差分程度となるように形成されている。
【００６７】
後側支持部７６は、前側支持部７５と同様に、第１傾斜面７１の後側端部が下方に向けて切り起こされるようにして形成されている。そして、前側支持部７５と同様に、後側支持部７６の左側端部の鉛直方向の長さは、第２傾斜面７２の左側端部の高さと第２傾斜面７２の右側端部の高さとの差分程度となるように形成されている。後側支持部７６の右側端部の鉛直方向の長さは、第２傾斜面７２の左側端部の高さと第１傾斜面７１の右側端部の高さとの差分程度となるように形成されている。
【００６８】
以上のように、導水ガイド７０は、第１傾斜面７１や第２傾斜面７２を有しているものの、第１傾斜面７１や第２傾斜面７２の傾斜による高さを支持するための前側支持部７５および後側支持部７６が設けられている。そして、主アキュームレータ１６と導水ガイド７０の一体化物を平面上に置いた場合に主アキュームレータ１６の長手方向が鉛直方向となるように、導水ガイド７０が主アキュームレータ１６に溶接固定されている。
【００６９】
（４）特徴
本実施形態に係る空気調和装置１の室外ユニット２には、以下のような特徴がある。
【００７０】
（４−１）
本実施形態の室外ユニット２では、駆動により振動を伴う圧縮機８が、ケーシング４０の底フレーム４１に固定されている。このため、圧縮機８の固定状態を強固にすることが可能になっている。
【００７１】
ここで、このように、機械室Ｓ２の下方に圧縮機８を配置した場合には、機械室Ｓ２の下方の残りの空間が狭くなり、他の比較的大きな構造部品を配置することが困難になる場合がある。しかし、本実施形態の室外ユニット２では、比較的大きな構造部品である主アキュームレータ１６を圧縮機８の上方に配置したため、機械室Ｓ２が比較的狭い場合であっても、圧縮機８と主アキュームレータ１６の両方を機械室Ｓ２内に適切に設置することができている。
【００７２】
特に、本実施形態の室外ユニット２は、室外ファン１５が上下に複数並べて配置された構造であり、室外熱交換器１１の鉛直方向の長さが比較的長い構造であるため、機械室Ｓ２内のスペースは、左右方向や前後方向よりも鉛直方向において確保しやすい。本実施形態では、スペースを確保しやすい鉛直方向に対応するように、主アキュームレータ１６と圧縮機８も鉛直方向に並べて配置させることで、機械室Ｓ２が狭い場合であっても各機器を収容することを可能にしている。
【００７３】
さらに、本実施形態の圧縮部７は、付属アキュームレータ９が、圧縮機８の側方に配置されている。このため、機械室Ｓ２の下方の圧縮部７（付属アキュームレータ９および圧縮機８）以外のスペースは、特に、狭くなっている（付属アキュームレータ９が設けられていない場合と比べて狭くなっている）。このように、機械室Ｓ２の下方のスペースが特に狭くなっている場合であっても、主アキュームレータ１６を圧縮機８の上方に配置することで、これらの機器の機械室Ｓ２内への収容が可能になっている。
【００７４】
また、圧縮機８と主アキュームレータ１６との横に並んだ配置構造を避けることができるため、機械室Ｓ２をコンパクトにすることができ、室外ユニット２をコンパクトにすることが可能になる。
【００７５】
（４−２）
本実施形態の室外ユニット２では、上述のように、圧縮機８の上方に主アキュームレータ１６を配置することにより、機械室Ｓ２内が狭い場合であっても各機器を収容させることができている。しかし、主アキュームレータ１６は、圧縮機８の吸入側に接続されているため、外表面に結露水が生じることがある。そして、主アキュームレータ１６の外表面で生じた結露水は、下方に位置している圧縮機８に向けて落ちてくることがある。特に、本実施形態の圧縮部７には、防音カバー５０が取り付けられているものの、電気的接続を可能にするために、防音カバー５０の上方カバー部５０ｂは圧縮機８のターミナル８１の上方を覆っていない。
【００７６】
これに対して、本実施形態の室外ユニット２では、圧縮機８の上方であって、主アキュームレータ１６の下方に、導水ガイド７０を介在させている。これにより、主アキュームレータ１６から落ちてくる結露水は導水ガイド７０によって捕らえられるため、結露水が圧縮機８に向けて落ちていくことを防ぐことができている。したがって、圧縮機８に結露水が到達することによる不具合を抑制させることが可能になっており、具体的には、結露水による圧縮機８の腐食や、結露水による圧縮機８のターミナル８１の電気的ショートを抑制することが可能になっている。
【００７７】
また、導水ガイド７０には、水平面に対して傾斜した第１傾斜面７１や第２傾斜面７２が設けられているため、捕らえた結露水を自重によって傾斜先に導くことができる。ここで、圧縮機８のターミナル８１は、圧縮機８の上方右寄りの箇所に設けられているのに対して、導水ガイド７０の第１傾斜面７１や第２傾斜面７２は捕らえた結露水を左側に送るように傾斜している。このように、導水ガイド７０は、捕らえた結露水を右寄りの圧縮機８のターミナル８１側とは略反対側の左側方向に導くため、圧縮機８のターミナル８１の電気的ショートをより確実に抑制することが可能になっている。
【００７８】
また、本実施形態では、主アキュームレータ１６は、仕切板４８に固定されており、仕切板４８との距離が狭くなるように配置されているところ、導水ガイド７０は、主アキュームレータ１６からの結露水を仕切板４８側に導いている。このため、導水ガイド７０が捕らえた結露水が、機械室Ｓ２内の冷媒回路構成部品に向かうことを防ぎ、これらの冷媒回路構成部品の腐食を抑制させることが可能になる。また、主アキュームレータ１６から落ちてきた結露水が飛散することがあったとしても、仕切板４８に沿わせて下方に流すことが可能になるため、結露水による不具合をより確実に抑制させることが可能になる。
【００７９】
（４−３）
上述のように、主アキュームレータ１６の下方には、水平面に対して傾斜した第１傾斜面７１や第２傾斜面７２を有する導水ガイド７０が設けられているため、導水ガイド７０が捕らえた結露水を、傾斜面に沿って傾斜方向に送り出すことが可能になっている。
【００８０】
ここで、このように水平面に対して傾斜した第１傾斜面７１や第２傾斜面７２を有する導水ガイド７０が主アキュームレータ１６に取り付けられている場合には、導水ガイド７０において単にこれらの傾斜面だけを備えさせた場合には、主アキュームレータ１６と導水ガイド７０の一体化物（冷媒回路６の一部に接続される前の構造部品）は、自立させることができず、横たわるように倒れてしまうことになる。
【００８１】
これに対して、本実施形態の室外ユニット２では、主アキュームレータ１６と導水ガイド７０の一体化物を平面上に置いた場合に主アキュームレータ１６の長手方向が鉛直方向となるように、導水ガイド７０が主アキュームレータ１６に溶接固定されている。具体的には、導水ガイド７０において、第１傾斜面７１や第２傾斜面７２を設けるだけでなく、さらに前側支持部７５や後側支持部７６を設けたため、主アキュームレータ１６と導水ガイド７０の一体化物を平面上に置いた場合に主アキュームレータ１６の長手方向が鉛直方向となるようにすることができている。これにより、傾斜面を有する導水ガイド７０を主アキュームレータ１６に取り付けた場合であっても、主アキュームレータ１６と導水ガイド７０の一体化物を自立させることが可能になっている。このため、製造時において、当該一体化物が横たわるように倒れることを避け、取り扱いやすくすることができる。
【００８２】
（５）変形例
（５−１）
上記実施形態においては、圧縮部７が付属アキュームレータ９を有している場合を例に挙げて説明した。
【００８３】
これに対して、例えば、このような付属アキュームレータ９は省略し、アキュームレータとしては主アキュームレータ１６のみが設けられた構成としてもよい。
【００８４】
（５−２）
上記実施形態においては、導水ガイド７０が主アキュームレータ１６に固定されている場合を例に挙げて説明した。
【００８５】
これに対して、例えば、導水ガイド７０は、圧縮機８の上方であって主アキュームレータ１６の下方に位置していればよく、主アキュームレータ１６に固定されているものに限られない。
【００８６】
例えば、導水ガイド７０は、主アキュームレータ１６に対して固定されることなく圧縮機８に対して固定されていてもよいし、主アキュームレータ１６に対して固定されることなく仕切板４８に対して固定されていてもよい。また、導水ガイド７０は、主アキュームレータ１６と仕切板４８との両方に対して固定されていてもよい。
【００８７】
（５−３）
上記実施形態においては、導水ガイド７０が板金によって構成されている場合を例に挙げて説明した。
【００８８】
これに対して、例えば、導水ガイド７０の素材は、特に限定されるものではなく,例えば、ゴムまたは樹脂によって構成されていてもよい。
【００８９】
例えば、導水ガイドをゴム部材によって構成させる場合には、当該ゴム部材に、結露水を導くための導水溝を設けた構成としてもよい。
【００９０】
（５−４）
上記実施形態においては、上流側ノズル６１や下流側ノズル６２が上端から延び出しており、長手方向が鉛直方向である縦に長い形状の主アキュームレータ１６を冷媒容器の例として挙げて説明した。
【００９１】
これに対して、冷媒容器の形状は、これに限られず、例えば、長手方向が径方向となるような横に長い形状のものを用いてもよい。
【００９２】
（５−５）
上記実施形態においては、圧縮機８の吸入側に接続された低圧レシーバである主アキュームレータ１６を冷媒容器の例として挙げて説明した。
【００９３】
これに対して、冷媒容器としては、低圧レシーバに限られるものではなく、使用条件や周囲の温度、湿度の環境下において結露が生じる可能性があるものであればよく、例えば、冷媒回路における中間圧の冷媒を貯留する中間圧レシーバであってもよい。
【００９４】
冷媒回路における冷凍サイクルの運転条件や設置環境（湿度や温度）によれば、このようなレシーバであっても冷媒容器の外表面に結露が生じることがあるため、上記実施形態における導水ガイドの構成を同様に適用することが可能である。
【００９５】
（５−６）
上記実施形態では、トランク型構造の室外ユニット２を例に挙げて説明した。
【００９６】
これに対して、室外ユニットとしては、トランク型構造に限定されるものではなく、例えば、室外ファンがケーシングの天面側に配置された上吹き型構造等の他の形式の室外ユニットにおいても、圧縮機と主アキュームレータとの間に導水ガイドを配置する構造を適用することが可能である。
【産業上の利用可能性】
【００９７】
本発明は、冷媒容器と圧縮機を備えた冷凍装置の室外ユニットにおいて、広く適用可能である。
【符号の説明】
【００９８】
１      空気調和装置（冷凍装置）
２      室外ユニット
７      圧縮部
８      圧縮機
９      付属アキュームレータ
１５    室外ファン（送風機）
１６    主アキュームレータ（冷媒容器）
４０    ケーシング
４１    底フレーム
４８    仕切板
５０    防音カバー
７０    導水ガイド（ガイド部材）
７１    第１傾斜面（傾斜部分）
７２    第２傾斜面（傾斜部分）
Ｓ１    送風機室
Ｓ２    機械室
【先行技術文献】
【特許文献】
【００９９】
【特許文献１】特開平１０−３３２１７６号公報
【図１】
2017190917.tif 000003
【図２】
2017190917.tif 000004
【図３】
2017190917.tif 000005
【図４】
2017190917.tif 000006
【図５】
2017190917.tif 000007
【図６】
2017190917.tif 000008
【図７】
2017190917.tif 000009